【手続補正書】
【提出日】平成21年11月18日(2009.11.18)
【手続補正１】
【補正対象書類名】明細書
【補正対象項目名】特許請求の範囲
【補正方法】変更
【補正の内容】
【特許請求の範囲】
【請求項１】  画像データに基づき画像を用紙に記録する記録手段と、
前記記録手段により画像が記録された用紙が排紙される複数のビンと、
複数の画像データと、該複数の画像データのそれぞれは複数の属性を有し各属性は属性情報を有するものである、そのような各画像データの属性データとを記憶する着脱式のメモリを装着する装着手段と、
前記複数の属性のうちの一つの属性を指定する指定手段と、
前記指定手段により指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定手段と、
各ビンに排紙された用紙に記録された画像の属性を識別する識別情報を表示する表示手段と
を有することを特徴とする画像記録装置。
【請求項２】  前記画像データは、デジタルカメラで撮影された画像データであり、前記属性情報は、デジタルカメラで付加されたものであることを特徴とする請求項１記載の画像記録装置。
【請求項３】  前記属性は、タイトル、撮影日、または配布ユーザを含むことを特徴とする請求項１記載の画像記録装置。
【請求項４】  前記表示手段は、各ビンに排紙された用紙に記録された属性を識別する識別情報を各ビンに対応させて表示することを特徴とする請求項１記載の画像記録装置。
【請求項５】  画像データに基づき画像を用紙に記録する記録手段と、
前記記録手段により画像が記録された用紙が排紙される複数のビンと、
複数の画像データと、該複数の画像データのそれぞれは複数の属性を有し各属性は属性情報を有するものである、そのような各画像データの属性データとを記憶する着脱式のメモリを装着する装着手段と、
前記複数の属性のうちの一つの属性を指定する指定手段と、
前記指定手段により指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定手段とを有し、
前記記録手段は、各ビンに排紙された用紙に記録された属性を識別する識別情報の一覧を用紙に記録することを特徴とする画像記録装置。
【請求項６】  画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段とを有する画像記録装置における画像記録方法であって、
前記複数の属性のうちの一つの属性を指定する指定ステップと、
前記指定ステップにより指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定ステップと、
各ビンに排紙された用紙に記録された画像の属性を識別する識別情報を表示する表示ステップと
を有することを特徴とする画像記録方法。
【請求項７】  前記画像データは、デジタルカメラで撮影された画像データであり、前記属性情報は、デジタルカメラで付加されたものであることを特徴とする請求項６記載の画像記録方法。
【請求項８】  前記属性は、タイトル、撮影日、または配布ユーザを含むことを特徴とする請求項６記載の画像記録方法。
【請求項９】  前記表示ステップは、各ビンに排紙された用紙に記録された属性を識別する識別情報を各ビンに対応させて表示することを特徴とする請求項６記載の画像記録方法。
【請求項１０】  画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段とを有する画像記録装置における画像記録方法であって、
前記複数の属性のうちの一つの属性を指定する指定ステップと、
前記指定ステップにより指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定ステップと、
各ビンに排紙された用紙に記録された属性を識別する識別情報の一覧を用紙に記録する記録ステップとを有することを特徴とする画像記録方法。
【手続補正２】
【補正対象書類名】明細書
【補正対象項目名】００２７
【補正方法】変更
【補正の内容】
【００２７】
【課題を解決するための手段】
請求項１の発明は、画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段と、前記複数の属性のうちの一つの属性を指定する指定手段と、前記指定手段により指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定手段と、各ビンに排紙された用紙に記録された画像の属性を識別する識別情報を表示する表示手段とを有することを特徴とする。
【手続補正３】
【補正対象書類名】明細書
【補正対象項目名】００３０
【補正方法】変更
【補正の内容】
【００３０】
請求項１において、前記表示手段は、各ビンに排紙された用紙に記録された属性を識別する識別情報を各ビンに対応させて表示することができる。
【手続補正４】
【補正対象書類名】明細書
【補正対象項目名】００３１
【補正方法】変更
【補正の内容】
【００３１】
請求項５の発明は、画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段と、前記複数の属性のうちの一つの属性を指定する指定手段と、前記指定手段により指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定手段とを有し、前記記録手段は、各ビンに排紙された用紙に記録された属性を識別する識別情報の一覧を用紙に記録することを特徴とする。
【手続補正５】
【補正対象書類名】明細書
【補正対象項目名】００３２
【補正方法】変更
【補正の内容】
【００３２】
請求項６の発明は、画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段とを有する画像記録装置における画像記録方法であって、前記複数の属性のうちの一つの属性を指定する指定ステップと、前記指定ステップにより指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定ステップと、各ビンに排紙された用紙に記録された画像の属性を識別する識別情報を表示する表示ステップとを有することを特徴とする。
【手続補正６】
【補正対象書類名】明細書
【補正対象項目名】００３５
【補正方法】変更
【補正の内容】
【００３５】
請求項６において、前記表示ステップは、各ビンに排紙された用紙に記録された属性を識別する識別情報を各ビンに対応させて表示することができる。
【手続補正７】
【補正対象書類名】明細書
【補正対象項目名】００３６
【補正方法】変更
【補正の内容】
【００３６】
請求項１０の発明は、画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段とを有する画像記録装置における画像記録方法であって、前記複数の属性のうちの一つの属性を指定する指定ステップと、前記指定ステップにより指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定ステップと、各ビンに排紙された用紙に記録された属性を識別する識別情報の一覧を用紙に記録する記録ステップとを有することを特徴とする。